【手続補正書】
【提出日】令和2年12月17日(2020.12.17)
【手続補正１】
【補正対象書類名】特許請求の範囲
【補正対象項目名】全文
【補正方法】変更
【補正の内容】
【特許請求の範囲】
【請求項１】
第１の回転体を備えた第１のユニットと、
前記第１の回転体と共に記録材上のトナー画像を定着するニップ部を形成する第２の回転体を備えた第２のユニットと、
前記第２のユニットを支持するフレームと、
前記第２の回転体の回転方向に関して前記ニップ部の上流に配置され、記録材を前記ニップ部に向けてガイドするガイド位置と、前記第２のユニットを前記フレームから取り外すための空間から退避する退避位置と、に位置することができるガイド部材と、
前記空間を露出する開位置と、前記空間を閉じる閉位置と、に開閉可能に位置することができるカバー部材と、
前記カバー部材が前記開位置に位置するときに前記退避位置に位置する前記ガイド部材を、前記カバー部材の前記開位置から前記閉位置への移動に連動して前記ガイド位置へ復帰させる連動機構と、を有することを特徴とする定着装置。
【請求項２】
前記連動機構は、前記カバー部材の前記閉位置から前記開位置への移動に連動して、前記ガイド部材を前記退避位置へ位置させることを特徴とする請求項１に記載の定着装置。
【請求項３】
前記連動機構は、前記カバー部材が前記閉位置から前記開位置へ移動するのに伴って前記カバー部材と当接する当接部を有し、
前記当接部は、前記ガイド部材に設けられることを特徴とする請求項１または２に記載の定着装置。
【請求項４】
前記第２のユニットの前記フレームからの取り外し方向は、前記第１のユニットが取り外されている装着位置に前記第２のユニットが近づく方向であることを特徴とする請求項１乃至３のいずれか１項に記載の定着装置。
【請求項５】
前記空間は、前記第１のユニットが取り外されることで露出することを特徴とする請求項１乃至４のいずれか１項に記載の定着装置。
【請求項６】
前記ガイド位置に位置する前記ガイド部材を前記第２のユニットの取り外し方向から見た投影面において、前記ガイド部材の一部と前記第２の回転体の一部は互いにオーバーラップすることを特徴とする請求項１乃至５のいずれか１項に記載の定着装置。
【請求項７】
前記ガイド部材は、前記カバー部材の移動なしに前記ガイド位置と前記退避位置との間で移動可能であることを特徴とする請求項１乃至６のいずれか１項に記載の定着装置。
【請求項８】
前記連動機構は、前記カバー部材を前記開位置から前記閉位置へ向けて付勢するバネ部材を有することを特徴とする請求項１乃至７のいずれか１項に記載の定着装置。
【請求項９】
前記フレームは、前記第１のユニットを取り外し可能に支持することを特徴とする請求項１乃至８のいずれか１項に記載の定着装置。
【請求項１０】
前記カバー部材は、前記閉位置と前記開位置との間で第１の支点の周りに回動可能であり、前記カバー部材の前記閉位置から前記開位置への変化に応じて、前記連動機構は前記ガイド部材を退避させることを特徴とする請求項１乃至９のいずれか１項に記載の定着装置。
【請求項１１】
前記ガイド部材は、前記第１の支点と異なる第２の支点の周りに回動可能であり、前記連動機構によって、前記第２の支点の周りに回動することで退避することを特徴とする請求項１０に記載の定着装置。
【請求項１２】
前記第１の回転体は、前記ニップ部にて未定着のトナー画像と接触することを特徴とする請求項１乃至１１のいずれか１項に記載の定着装置。
【請求項１３】
トナー画像を形成する画像形成部と、
第１の回転体を備えた第１のユニットと、
前記第１の回転体と共に記録材を搬送するニップ部を形成する第２の回転体を備えた第２のユニットと、
前記第２のユニットを支持するフレームと、
前記第２の回転体の回転方向に関して前記ニップ部の上流に配置され、記録材を前記ニップ部に向けてガイドするガイド位置と、前記第２のユニットを前記フレームから取り外すための空間から退避する退避位置と、に位置することができるガイド部材と、
前記空間を露出する開位置と、前記空間を閉じる閉位置と、に開閉可能に位置することができるカバー部材と、
前記カバー部材が前記開位置に位置するときに前記退避位置に位置する前記ガイド部材を、前記カバー部材の前記開位置から前記閉位置への移動に連動して前記ガイド位置へ復帰させる連動機構と、を有することを特徴とする画像形成装置。
【請求項１４】
前記第２のユニット、前記フレーム、前記ガイド部材、前記カバー部材及び前記連動機構を含むユニットを、前記画像形成装置の本体から取り出すための空間を露出させる開位置と、該空間を閉じる閉位置と、に開閉可能に位置することができる第２のカバー部材を有することを特徴とする請求項１３に記載の画像形成装置。
【請求項１５】
前記画像形成部を前記画像形成装置の本体から取り出すための空間を露出させる開位置と、該空間を閉じる閉位置と、に開閉可能に位置することができる第２のカバー部材を有し、
前記第１の回転体及び前記第２の回転体は、前記ニップ部にて、記録材上のトナー画像を定着することを特徴とする請求項１３に記載の画像形成装置。
【請求項１６】
前記連動機構は、前記カバー部材の前記閉位置から前記開位置への移動に連動して、前記ガイド部材を前記退避位置へ位置させることを特徴とする請求項１３乃至１５のいずれか１項に記載の画像形成装置。
【請求項１７】
前記第２のユニットの前記フレームからの取り外し方向は、前記第１のユニットが取り外されている装着位置に前記第２のユニットが近づく方向であることを特徴とする請求項１３乃至１６のいずれか１項に記載の画像形成装置。
【請求項１８】
前記第２のユニットを前記フレームから取り外すための空間は、前記第１のユニットが取り外されることで露出することを特徴とする請求項１３乃至１７のいずれか１項に記載の画像形成装置。
【請求項１９】
前記ガイド位置に位置する前記ガイド部材を前記第２のユニットの取り外し方向から見た投影面において、前記ガイド部材の一部と前記第２の回転体の一部は互いにオーバーラップすることを特徴とする請求項１３乃至１８のいずれか１項に記載の画像形成装置。
【請求項２０】
前記フレームは、前記第１のユニットを取り外し可能に支持することを特徴とする請求項１３乃至１９のいずれか１項に記載の画像形成装置。
【手続補正２】
【補正対象書類名】明細書
【補正対象項目名】０００８
【補正方法】変更
【補正の内容】
【０００８】
上記目的を達成するため、本発明に係る定着装置は、第１の回転体を備えた第１のユニットと、前記第１の回転体と共に記録材上のトナー画像を定着するニップ部を形成する第２の回転体を備えた第２のユニットと、前記第２のユニットを支持するフレームと、前記第２の回転体の回転方向に関して前記ニップ部の上流に配置され、記録材を前記ニップ部に向けてガイドするガイド位置と、前記第２のユニットを前記フレームから取り外すための空間から退避する退避位置と、に位置することができるガイド部材と、前記空間を露出する開位置と、前記空間を閉じる閉位置と、に開閉可能に位置することができるカバー部材と、前記カバー部材が前記開位置に位置するときに前記退避位置に位置する前記ガイド部材を、前記カバー部材の前記開位置から前記閉位置への移動に連動して前記ガイド位置へ復帰させる連動機構と、を有することを特徴とする。
また、本発明に係る画像形成装置は、トナー画像を形成する画像形成部と、第１の回転体を備えた第１のユニットと、前記第１の回転体と共に記録材を搬送するニップ部を形成する第２の回転体を備えた第２のユニットと、前記第２のユニットを支持するフレームと、前記第２の回転体の回転方向に関して前記ニップ部の上流に配置され、記録材を前記ニップ部に向けてガイドするガイド位置と、前記第２のユニットを前記フレームから取り外すための空間から退避する退避位置と、に位置することができるガイド部材と、前記空間を露出する開位置と、前記空間を閉じる閉位置と、に開閉可能に位置することができるカバー部材と、前記カバー部材が前記開位置に位置するときに前記退避位置に位置する前記ガイド部材を、前記カバー部材の前記開位置から前記閉位置への移動に連動して前記ガイド位置へ復帰させる連動機構と、を有することを特徴とする。